(57)【要約】      （修正有）【課題】耐震工事のために外壁を壊す必要がない耐震用補強金具を提供する。【解決手段】土台と柱、柱と梁などの入り隅に沿わせて接合する直角な接合辺１１、１１と、この接合辺１１、１１の一側縁から直角に一体に連接する水平なＬ型辺１２、１２からなり、この接合辺１１、１１とＬ型辺１２、１２には複数のボルト挿通穴１１ａ、１２ａを穿ってあり、接合辺とＬ型辺の内側両端部に接するように断面山形の斜辺１３を渡して三角形状としてなり、Ｌ型辺１２、１２を外壁材２から土台３と柱４に沿わせてボルトＢを締め付けるようにした。【選択図】図２
0003111229.tif 000002
【実用新案登録請求の範囲】
【請求項１】
土台と柱、柱と梁などの入り隅に沿わせて接合する直角な接合辺と、この接合辺の一側縁から直角に一体に連接する水平なＬ型辺からなり、この接合辺とＬ型辺には複数のボルト挿通穴を穿ってあり、接合辺とＬ型辺の内側両端部に接するように断面山形の斜辺を渡して三角形状としてなることを特徴とする耐震補強金具。
【請求項２】
接合辺とＬ型辺を、予めボルト挿通穴を穿った二つの山形鋼を直角に溶接することで構成し、斜辺も山形鋼にて構成したことを特徴とする請求項１記載の耐震補強金具。
【考案の詳細な説明】
【技術分野】
【０００１】
本考案は、特に既存木造建築物の耐震性を高めるのに好適な耐震用補強金具に関するものである。
【背景技術】
【０００２】
既存木造建築物では、経年変化により火打ち梁や筋交いを固定しているボルトが緩んだり、筋交いや補強金具が不足していたりして建物の強度が不足していると思われる箇所を耐震補強しようとしても、外壁を壊したり、足場を組んだり、建物内部に入り込むために床材、天井材などを剥がしたりするなど関連工事が大掛かりでコスト高になり、二の足を踏む原因となっていた。
【０００３】
そこで、建築中の木造建築物はもとより、既存建築物の外壁より施工することができ、しかも強度において優れる耐震用補強金具を提供すべく、試行錯誤を経て開発したものである。
【０００４】
既存木造建築物の耐震補強金具として特許文献１（図５イ）及び特許文献２（図５ロ）で補強金具が提案されている。これらは、外壁を壊すことなく施工できるとしているがその手段が明示されていない。また、建物内側から施工すると、床、天井及び内壁を剥がすことが避けられない。
【０００５】
、特許文献３（図５ハ）では、古い家屋の耐震補強もできると記述されている。しかし、古い家屋の耐震補強には隠れている柱、土台、梁を露出させるために外壁、内壁、天井、床板を剥がさないと行えない。
特許文献４（図５ニ）のコーナー結合金具は、土台、軒げたのコーナー部に止めるものであるが、強靭な金具とはいえない。
【特許文献１】特許第３３４９６８５号公報
【特許文献２】特許第３０８８０６８号公報
【特許文献３】特開２０００−５４４９０号公報
【特許文献４】実開昭５９−５４６０４号公報
【考案の開示】
【考案が解決しようとする課題】
【０００６】
そこで、本考案の解決しようとする問題点は、従来の耐震補強金具としての機能を備えつつ、金具の強度を増すことで耐震性に優れるようにし、しかも、外壁を壊すことなく外壁表面から直接土台と柱、柱と梁のなす平坦面にあてがいボルトをねじ込むことで耐震補強工事ができるようにしたのである。
加えて、建築中及び既存木造建築物の内装を剥がすことでも施工でき、あらゆる局面で用いることができるである。
【課題を解決するための手段】
【０００７】
本考案は、土台と柱、柱と梁などの入り隅に沿わせて接合する直角な接合辺と、この接合辺の一側縁から直角に一体に連接する水平なＬ型辺からなり、この接合辺とＬ型辺には複数のボルト挿通穴を穿ってあり、接合辺とＬ型辺の内側両端部に接するように断面山形の斜辺を渡して三角形状としてなることを特徴とする。
【考案の効果】
【０００８】
本考案に関わる耐震用補強金具によれば、既存木造建築物の外壁から水平なＬ型辺を壁面に沿わせてあてがいボルトをねじ込むことで直接施工することができるので簡易に耐震補強工事をなすことができるのである。建築中には従来のこの種の補強金具と同様に接合辺を入り隅に沿わせてボルトをねじ込むことで施工することができる。
【考案を実施するための最良の形態】
【０００９】
図１、図２は、本発明に関わる耐震補強金具１の斜視図である。
概略、型鋼の一種である等辺山形鋼を溶接して三角形状に構成するものである。入り隅に当設する直角な接合辺１１と水平なＬ型辺１２は、厚み５mmで、長さは５０cm、幅が５cmの等辺山形鋼を一対組み合わせて溶接して構成するものであり、別途厚み４mmで、長さが５７cm、幅は４mmの等辺山形鋼を溶接して斜辺１３を構成する。
【００１０】
二本の長さ５０cmの等辺山形鋼は、Ｌ型に組み合わせたときに二重にならないように、二本の等辺山形鋼の隅角を三角形状に切除して直角になるように突合せ端縁を溶接部Ｗによりつなげ接合辺１１とＬ型辺１２とする。
続いて、接合辺１１とＬ型辺１２の内側端部に、断面山形の等辺山形鋼を素材とし、幅が若干短いものとして接合辺１２よりはみ出さず、両端部が接合辺１１に当接してＬ型辺１２に跨るように、接合辺１２内側の当接する箇所を三角状に切除してから溶接部Ｗすることで直角二等辺三角形状の三角を形成するようにしてある。
そして、接合辺１１及びＬ型辺１２には土台、柱、梁などへボルトＢを通すためのボルト挿通穴１１ａ、１２ａを複数所定の間隔で複数穿ってある。このボルト挿通穴１１ａ．１２ａは溶接する前に穿っておくようにする。
【００１１】
このような構成からなる耐震用補強金具１は、肉厚の等辺山形鋼を素材として、溶接してなるので、従来の耐震金具のように金属板を屈曲してなるものとは違い、格段に優れた強度を備えるものであり、加えて、斜辺１３を等辺山形鋼にて構成したので強靭さに優れるのである。
そして、土台３と柱４の外面の直角を成す平坦面に沿わせられるＬ型辺１２の採用により、図２に示すようにＬ型辺１２を外壁の外側からあてがい外壁材２を貫通させるボルトＢをねじ込むことで外壁材２を剥がさずに簡易な施工ができるのである。
【００１２】
外壁材２の上から直接固定する場合には、予めボルト穴を穿つようにしてボルトＢ打ち込みによる外壁材２の割れや大きな剥離を防ぐようにし、必要に応じて、ボルト挿入箇所から建物内部に雨水が浸入しないように防水シートや樹脂製のシーリング剤を外壁材２との接触面に塗布するようにする。
【００１３】
図３では既存木造建築物の土台３と柱４、柱３と梁５などに外壁材２の上からボルトＢをねじ込んで固定して建築物に耐震性を付与するようにした例を示す。耐震補強金具１全体を工事する既存木造建築物の外壁材２の色と同じか同じような色として目立たなくすることが望ましい。
実施態様に示すように、接合辺１１とＬ型辺１２を、幅員５cmとしておけば、一般的には土台３、柱４や梁５の太さ（幅員）は１０cmであるので、同じ箇所に配置することもできる。この例では柱４の縦方向に並べて耐震補強金具１を配置している。
【００１４】
図５に示すように建築中、或いは、壁材や内装材、天井材などを剥がして補強工事をする際には、接合辺１１、１１を土台３と柱４や、柱４や梁５のなす入り隅に沿わせて配置し、ボルトＢを締め付けることで補強工事をなすことができることになる。詳細な図示は省略するが、柱と桁、管柱と土台、管柱と胴差しなど縦方向に直角に交差して入り隅をなす箇所に接合辺１１、１１をあてがいボルトＢをねじ込むことで容易に耐震補強工事をなすことができるのである。
図示しないが、接合辺１１、Ｌ型辺１２を幅員５mmとしておけば柱４などの中央に配置しやすく、入り隅に配置する場合にあっても、同じ箇所に二つの耐震補強金具１をボルトＢで止めることで念入りに補強することもできる。
【００１５】
これまでは耐震補強金具１を縦方向に配置したものとしているが、平面十字状或いはＴ形に配置された土台同士や梁と胴差しのなす入り隅部に、接合辺１１、１１をあてがうように配置して横揺れに対するひずみを防止することもできる。
【００１６】
これまでの実施態様では、等辺山形鋼にて構成したものとしたが、不等辺山形鋼を用いてもよい。いずれにしても肉厚のある断面Ｌ形の型鋼を用いることで強度すなわち耐震性を増すようにしたのである。
長方、厚みのある型鋼を用いて溶接によりほぼ二等辺三角形状とすれば取り扱いが容易となる。
【図面の簡単な説明】
【００１７】
【図１】イ、ロは本考案の耐震補強金具の斜視図である。
【図２】耐震補強金具の使用状態図である。
【図３】中古木造建築物への本考案の耐震補強金具の使用状態図である。
【図４】新築住宅等への本考案の耐震補強金具の使用状態図である。
【図５】イ乃至ニはこれまでの補強金具の斜視図を示すものである。
【符号の説明】
【００１８】
１    耐震補強金具
１１    接合辺
１２    Ｌ型辺
１１ａ、１２ａ  ボルト挿通穴
１３    斜辺
２    外壁材
３    土台
４    柱
Ｗ    溶接部
Ｂ    ボルト
【図１】
0003111229.tif 000003
【図２】
0003111229.tif 000004
【図３】
0003111229.tif 000005
【図４】
0003111229.tif 000006
【図５】
0003111229.tif 000007